(57)【要約】【課題】像担持体上に残っている大量の小粒径トナーを確実に極性制御して電気的に吸引することができる構成を備えたクリーニング装置を提供する。【解決手段】転写後の像担持体上に残存するトナーを除去するために用いられるクリーニング装置であって、前記像担持体上での残トナーを一律の極性に揃える手段と、該極性を揃える手段により揃えられる極性と逆極性を印加されて残トナーを清掃して回収する手段２５とを備え、前記極性を揃える手段は、導電性ブレード２３と導電性ブラシ３３とを一体構造としたものが用いられることを特徴とする。【選択図】図９
2010066508.tif 000002
【特許請求の範囲】
【請求項１】
転写後の像担持体上に残存するトナーを除去するために用いられるクリーニング装置であって、
前記像担持体上での残トナーを一律の極性に揃える手段と、該極性を揃える手段により揃えられる極性と逆極性を印加されて残トナーを清掃して回収する手段とを備え、
前記極性を揃える手段は、導電性ブレードと導電性ブラシとを一体構造としたものが用いられることを特徴とするクリーニング装置。
【請求項２】
前記導電性ブレードおよび前記導電性ブラシは、該導電性ブレードが前記像担持体に当接する時に共に前記像担持体に当接するように、前記導電性ブラシが前記導電性ブレードの平面に接合されて両者間が導通状態にされていることを特徴とする請求項１に記載のクリーニング装置。
【請求項３】
前記導電性ブレードおよび導電性ブラシは、前記像担持体への画像形成が行われないインターバル時間中に、前記導電性ブレードおよび導電性ブラシに付着したトナーと逆極性の電圧を印加され、前記導電性ブレードの後段に設けられたブラシにより該トナーを除去することを特徴とする請求項１に記載のクリーニング装置。
【請求項４】
前記導電性ブラシは、導電糸が外部に露出した構成とされていることを特徴とする請求項１乃至３のいずれかに記載のクリーニング装置。
【請求項５】
請求項１乃至４のいずれかに記載のクリーニング装置を用いることを特徴とする画像形成装置。
【請求項６】
前記トナーとして、形状計数ＳＦ１が１００〜１５０，平均粒径が６μｍ以下のものが用いられることを特徴とする請求項５に記載の画像形成装置。
【発明の詳細な説明】
【技術分野】
【０００１】
本発明は、クリーニング装置および画像形成装置に関し、さらに詳しくは、重合トナーなどの真球化されたトナーを対象としたクリーニング構造に関する。
【背景技術】
【０００２】
周知のように、複写機やプリンタあるいは印刷機などの画像形成装置においては、潜像担持体である感光体に対して帯電工程により一様帯電が行われると、画像情報などに基づく光書き込み処理によって静電潜像が形成される。
【０００３】
感光体上の静電潜像は、現像装置から供給されるトナーにより可視像処理された後、転写手段を用いて紙などの記録媒体あるいは中間転写体に転写される。記録媒体への転写は主にモノクロ画像形成時に行われ、中間転写体への転写はフルカラー画像などの多色画像を形成する場合に行われる。多色画像形成時には、中間転写体に各色の画像を順次転写して重畳画像を記録媒体に対して一括転写する場合と中間転写体としてベルトが用いられた場合にはベルト状に記録媒体を吸着保持した状態で各色の画像形成ステーションを移動させる過程で各色の画像を重畳転写する場合とがある。いずれの場合にも、最終複写出力としては記録媒体に転写されたトナー像ということになる。
【０００４】
像担持体には前述した感光体だけでなく、各色の画像形成ステーションにおいて形成された画像を転写される中間転写体も含まれている。
【０００５】
中間転写体に各色の画像を順次転写する場合で説明すると、中間転写体は、重畳画像を記録媒体に一括転写した後、未転写トナーなどが含まれる残存トナーをクリーニングされる。クリーニングの目的は、残存トナーの存在が、次に転写を受ける記録媒体に対してそのトナーを転写して地肌汚れを招く原因となるのを防ぐためである。
【０００６】
そこで、従来では、クリーニング処理に用いられる構成として、ブレードクリーニング方式を用いたものがよく知られている。
【０００７】
ブレードクリーニング方式は、クリーニング対象に対してブレードを当接させて移動してくる残存トナーを堰き止めることでクリーニング対象からトナーを掻き取ることができる。
【０００８】
ところで、近年では、高解像度の高画質が要求されてきていることから、使用されるトナーに関しても、それまで使用されていた粉砕法によるトナーに代えて粒径を小さく揃えることができることおよび真球化が可能な重合法によるトナーが用いられるようになってきている。
【０００９】
重合法によるトナーは、球形化することで転写効率が向上し、転写残トナーとして廃棄される量が少なくなるという利点があるために多用される傾向にある。以下にその理由について説明する。
【００１０】
トナーは現像工程で現像バイアスを印加された状態で感光体などの像担持体上に担持されている静電潜像に供給される。  
そのときの像担持体上での潜像電位および現像バイアスによって像担持体に付着すると像担持体表面に作用する主な力として、鏡映力とファンデルワールス力がある。鏡映力は電荷量とその距離に大きく依存する。
【００１１】
従来の粉砕法によって生成された粉砕トナーはその表面に凹凸があり摩擦帯電により、凸部が集中的に帯電される。これに対して重合法によって生成された重合トナーはその表面が球形又は球形に近い形状を有するため表面が均一に帯電される。そして粉砕トナーにおいては、凸部で接触し非常に近接した領域に多くの電荷が存在するために、鏡映力が増大する。一方、重合トナーのよう球形をしていると、接触状態はほとんど点状になり、且つ近接領域の電荷量も少なく、粉砕トナーに比べて鏡映力が小さくなる。
【００１２】
粉砕トナーを用いた場合には、多くのトナーの中には上記のような凸部で接触するトナーが多数存在し、この場合にはファンデルワールス力は非常に大きくなる。これに対して、重合トナーは表面形状が球状であるためトナーはほとんど点で接触する。よって、ファンデルワールス力は重合トナーの方が小さくなる。
【００１３】
このように、接触力の観点から、球形に近い重合トナーの場合、感光体に対する鏡映力、ファンデルワールス力、つまり付着力が小さくなり転写の際の転写残トナーが少なくトナー消費量を少なくできて経済的に有利である。
【００１４】
しかし、転写残トナーをクリーニングする場合には、小粒径化されて真球化されている重合トナーがブレードと像担持体表面との間をすり抜けやすくなる。このため、ブレードを用いてこの重合法で製造される小径且つ球形のトナーをクリーニングするには、ブレードを強い力で像担持体上に押し付けて堰き止めること必要となる。強い力で押し付けることは、ブレードや像担持体表面層の磨耗が加速される。更に強い力でブレードを押し付けるため、像担持体を駆動するためのモータトルクも大きくしなくてはならないなどの欠点がある。
【００１５】
そこで、像担持体へのダメージ低減と小径でかつ円形度の高いトナーをクリーニングする方式として、静電気力でトナーを吸着させる静電ブラシローラを用いた方式が検討されている（例えば、特許文献１〜４）。
【００１６】
特許文献１には、残トナーが表面に存在する像担持体の移動方向において上流側にトナーと同極性のバイアス印加が可能なスクレーパなどを用いた帯電部材を像担持体に接触させて配置し、下流側には帯電部材と逆極性のバイアス印加が行われているブラシを像担持体に接触させて帯電部材による残トナーの掻き取りと残トナーの極性揃えを行い、次いでブラシにより帯電部材で掻き取られなかったところの、極性が揃っている状態の残トナーを対象としてその極性と逆極性を印加してブラシにより掻き取るようにした構成が開示されている。
【００１７】
特許文献２には、感光体の表面に接触し帯電させる導電性ブラシと導電性ブラシの上流側に感光体表面に付着されたトナーを除去させる弾性ブレードとを一体化してなるブラシ体電器を感光体に対して接触しうるよう着脱可能に取り付けるようにした構成が開示されている。
【００１８】
特許文献３には、感光体に当接する第１のクリーニングブレードと第２のクリーニングブレードを有し、第1のクリーニングブレードは第２のクリーニングブレードより感光体表面移動方向上流側の感光体面部分に当接するように配設し、第１のクリーニングブレードは電圧印加可能な弾性部材が用いられている構成が開示されている。
【００１９】
特許文献４には、像担持体の表面に接触した状態で回転駆動される導電性を有する回転部材と、回転部材よりも像担持体の移動方向上流側で像担持体表面に接触する導電部材とを備え、導電部材はトナーとの摩擦帯電系列上トナーを正規極性とは逆極性に帯電させる材質からなり,像担持体の表面に残留したトナーの帯電極性を導電部材によって正規極性に揃え、正規極性に揃えられたトナーを回転部材によって像担持体上から回収する構成が開示されている。
【００２０】
【特許文献１】特許第３９００２８３号
【特許文献２】特公平０７−１０４６９２号公報
【特許文献３】特開２００６−２９３４０４
【特許文献４】特開２００７−２５１６３
【発明の開示】
【発明が解決しようとする課題】
【００２１】
これまでの静電ブラシクリーニング装置は転写後の残トナーが電荷を持っているため、その電荷を持つ特性を利用して、ブラシに反対の極性を印加してブラシで吸着除去させていたが、残トナーの電荷は放電によって、正／負の極性のいずれも有する場合が多い。一般的には転写する時のバイアス電圧は正であるため、現像後の負極性トナーが吸着転写され、転写されなかったトナーは後工程に向けてすり抜けていく。
【００２２】
前述したように、転写電圧によって転写媒体間で放電が生じて片側極性だけにならないで正負両者が混在するのが現実である。そこで、上記特許文献にあるように、ブラシなどのバイアス電圧手段によって正／負極の電圧を印加する構成としていた。
【００２３】
また、他の方式として極性制御部材によって片側に極性を揃えて、揃えた極性と反対の電圧を清掃部材に印加して吸着する方式もこれまでにあった。この極性制御部材としてはトナーと接触しないで極性を変える方法と、接触させて変える方法とがある。  
非接触方式としてはコロナ等のイオン照射でトナー外周にイオン付着させるものである。この方式は高電圧放電によってイオン以外の環境汚染や人体に有害なオゾンが生じるなどの欠点がある。  
接触方式は、上記特許文献に開示されているように、放電させないで摩擦帯電、電荷注入などの作用によって電荷制御する。具体的には導電性ブラシ、導電性ブレードなどと接触させて実行される。しかし、ブラシの場合はトナーが大量に入力された時はブラシと接触しないですり抜ける場合が生じることあがり、トナーが付着して時間と共に制御能力が低下する。ブレードを使用する場合は像担持体との接触圧によって像担持体とブレード自身の摩耗劣化させる。そのために接触圧力を下げた状態で使用しなければならない。その時、ブレードと接触しないですり抜けるトナーが発生する。このように、静電的な回収を試みた場合においても、小粒径トナーのすり抜けを完全になくすことは困難だというのが現状である。
【００２４】
本発明の目的は、上記従来のクリーニング装置における問題、特に小粒径、真球化されたトナーを対象とするクリーニング装置における問題に鑑み、像担持体上に残っている大量の小粒径トナーを確実に極性制御して電気的に吸引することができる構成を備えたクリーニング装置および画像形成装置を提供することにある。
【課題を解決するための手段】
【００２５】
この目的を達成するため、本発明は次の構成よりなる。  
（１）転写後の像担持体上に残存するトナーを除去するために用いられるクリーニング装置であって、
前記像担持体上での残トナーを一律の極性に揃える極性制御手段と、該極性制御部材により揃えられる極性と逆極性を印加されて残トナーを清掃して回収する手段とを備え、
前記極性制御手段は、導電性ブレードと導電性ブラシとを一体構造としたものが用いられることを特徴とするクリーニング装置。
（２）前記導電性ブレードおよび前記導電性ブラシは、該導電性ブレードが前記像担持体に当接する時に共に前記像担持体に当接するように、前記導電性ブラシが前記導電性ブレードの平面に接合されて両者間が導通状態にされていることを特徴とする（１）に記載のクリーニング装置。
（３）前記導電性ブレードおよび導電性ブラシは、前記像担持体への画像形成が行われないインターバル時間中に、前記導電性ブレードおよび導電性ブラシに付着したトナーと逆極性の電圧を印加され、前記導電性ブレードの後段に設けられたブラシにより該トナーを除去することを特徴とする（１）に記載のクリーニング装置。
（４）前記導電性ブラシは、導電糸が外部に露出した構成とされていることを特徴とする（１）乃至（３）のいずれかに記載のクリーニング装置。
（５）（１）乃至（４）のいずれかに記載のクリーニング装置を用いることを特徴とする画像形成装置。
（６）前記トナーとして、形状計数ＳＦ１が１００〜１５０，平均粒径が６μｍ以下のものが用いられることを特徴とする（５）に記載の画像形成装置。
【発明の効果】
【００２６】
本発明によれば、トナーの極性を揃えるための手段の構成として、導電性ブレードと導電性ブラシとを一体構造としたので、極性を揃える位置でブレードをすり抜けるトナーに対してもブラシによる極性制御が可能となる。これにより、小型部品構成によって、トナーへの極性揃えの効率が高められ、極性を変化させる際の制御率が向上し、クリーニング特性を向上させることができる。
【００２７】
特に請求項２記載の発明においては、ブレードとブラシとが平面に接合されて両者間が導通状態とされているので、部品構造および組み立て作業の簡略化さらには電源の共通化が可能となる。
【００２８】
請求項３記載の発明においては、画像形成が行われないインターバル時間中にブレードおよびブラシに対してトナーとは逆極性の電圧を印加し、この状態でブレード後段に位置するブラシによりトナーを回収するので、ブラシ表面に付着しているトナーが回収されてリフレッシュさせることができる。これにより、経時的に安定したトナーのクリーニング性能が維持できることになる。
【００２９】
請求項４記載の発明では、ブラシに用いられる導電糸が外部に露出している構成であるので、トナーへの効率的な電荷注入が行え、極性制御効率を高めることができる。
【００３０】
請求項５および６記載の発明においては、クリーニング装置のトナーは形状係数ＳＦ１が１００〜１５０、トナー平均粒径が６μｍ以下の範囲にあるものを用いることで、本構成のクリーニングユニットの性能が発揮できる。
【発明を実施するための最良の形態】
【００３１】
以下、図面により本発明を実施するための最良の形態について説明する。
【００３２】
図１は、本発明によるクリーニング装置を用いる画像形成装置を示しており、同図に示されている画像形成装置は、像担持体の一つである中間転写体にベルトを用い、ベルトの展張方向に沿って異なる色の画像形成が可能な画像形成処理部（図１において、使用されるトナーの色を示すＹ，Ｃ，Ｍ．Ｋを付した感光体ドラムを備えた部分）を並置したタンデム方式の画像形成装置である。
【００３３】
各画像形成処理部は同じ構成であるので、今、符号Ｙで示す画像形成処理部を対象として説明すると次の通りである。
【００３４】
画像形成処理部は、それぞれユニット化されており、ユニットの内部には、像担持体の他の一つである感光体ドラム１が回転可能に設けられている。
【００３５】
感光体ドラム１の周囲には、画像形成処理を実行するための帯電装置２，露光装置３，現像装置４，転写装置５，クリーニング装置６が配置されており、これら各装置のうちで、帯電装置２，現像装置４およびクリーニング装置６がユニット内に配置されてプロセスカートリッジを構成している。
【００３６】
転写装置５には、各画像形成処理部が並置されている展張面を有する中間転写ベルト５Ａと、中間転写ベルト５Ａを挟んで各感光体ドラムに対向する１次転写ローラ５Ｂとが備えられている。
【００３７】
一方、中間転写ベルト５Ａの一部には、重畳転写された画像を給紙装置７から繰り出されてレジストローラ８によりレジストタイミングを設定されて搬送されてくる記録紙などの記録媒体に一括転写する２次転写装置９が設けられている。２次転写装置９による２次転写位置から記録媒体が搬送される位置には加熱ローラおよび加圧ローラとで記録媒体上のトナー像を定着する熱ローラ定着方式を用いた定着装置１０が配置されている。
【００３８】
感光体ドラム１は、アルミニウムなどの導電性基体の表面に例えば有機半導体の薄膜が形成されており、また、帯電装置２は、感光体ドラム１の表面に近接もしくは当接可能なバイアスローラが用いられている。
【００３９】
現像装置４には、重合トナーが用いられ、重合トナーは、球状物質の「丸さ」の割合を示す形状係数ＳＦ１が１００〜１５０，そして粒径が６μｍ以下のものが用いられている。
【００４０】
ここで形状係数ＳＦ１について説明すると次の通りである。
【００４１】
トナーの形状係数ＳＦ１は、上述したとおり、球状物質形状の「丸さ」の割合を示す数値であり、球状物質を二次元平面状に投影して出来る楕円状図形の最大長さＭＸＬＮＧの二乗を図形面積ＡＲＥＡで割って、１００π／４を乗じた値で表される。
つまり次式、によって定義されるものである。
【００４２】
ＳＦ１＝｛（ＭＸＬＮＧ）２／ＡＲＥＡ｝×（１００π／４）
ＳＦ１の値が１００の場合、トナー形状は真球となり、ＳＦ１の値が大きくなるほど不定形となる。一般的にトナーの形状が球形に近くなるとトナーとトナーあるいはトナーと像担持体との接触状態が点接触になるため、トナー同士の吸着力は弱くなって流動性が高くなる。また、トナーと像担持体との吸着力も弱くなって転写率は高くなる。
【００４３】
本実施形態で使用したトナーは、有機溶媒中にウレア結合しうる変性されたポリエステル系樹脂を含む結着樹脂、着色剤を含有したトナー組成物を溶解或いは分散させ、水溶媒体中で粒子化するとともに重付加反応させ、この分散液の溶媒を除去、洗浄、乾燥して得られたトナーを用いている。
【００４４】
球形トナーを得る製造方法として、先述の製造方法以外に公知の乳化重合法、懸濁重合法、分散重合法等の重合法を用いてもよいし、従来の粉砕法のトナーを熱溶融しても得ることができる。
【００４５】
以上のような構成の画像形成装置においては、画像形成処理部において帯電装置２により感光体ドラム１の表面が均一に帯電されると、露光装置３を用いた画像情報に応じた書き込み光により感光体ドラム１上に静電潜像が形成される。
【００４６】
静電潜像は、現像装置４から供給されるトナーにより可視像処理されるが、本実施形態では−（負）に帯電したトナーを用いた反転現像が行われる。
【００４７】
感光体ドラム１において可視像化されたトナー像は、転写装置５において感光体ドラム１と等速で移動する中間転写ベルト５Ａに対して転写ローラ５Ｂによる転写バイアス作用により転写される。
【００４８】
画像形成処理部において形成されたトナー像が中間転写ベルト５Ａに対して順次転写されると重畳された画像が給紙装置７から繰り出された記録媒体に対して２次転写装置９を用いて一括転写され、記録媒体が定着装置１０に搬送されてトナー像が定着される。なお、図１において符号８はレジストローラを示している。
【００４９】
一方、２次転写位置を通過した中間転写ベルト５Ａは、クリーニング装置（便宜上、符号２０で示す）により残トナーを含む異物の清掃が行われるようになっている。
【００５０】
クリーニング装置は、感光体ドラム１および上述した中間転写ベルト５Ａを対象としてそれぞれ設けられている。
【００５１】
図２は、上述したプロセスカートリッジに収容されているクリーニング装置６の構成を示し、図３は、中間転写ベルト５Ａを対象としたクリーニング装置２０の構成を示している。いずれのクリーニング装置においても、主要部は同じ構成部材を備えており、図２および図３において同符号によりその部材を示して説明すると次の通りである。  
つまり、図２，図３において、クリーニング装置には、トナーの極性を揃えるための極性制御に用いられる極性ブレード２３，回収ローラ２４，清掃部材として用いられるブラシローラ２５および回収ブレード２６が主要部材として用いられている。なお、図３において符号２１は、極性ブレード２３よりも像担持体の移動方向上流側に配置されている導電性のブラシローラであり、今これを１次ブラシローラと呼称し、清掃部材として用いられるブラシローラ２５を２次ブラシローラと呼称する。また、図３において、符号２２は、フリッカーを示し、符号２７は、潤滑剤塗布装置（図３では、潤滑剤２７Ａと付勢手段２７Ｂとが区別して示されている）を示し、符号２８は、回収されたトナーを現像装置あるいは廃棄タンクに向け搬送する搬送スクリューをそれぞれ示している。
【００５２】
１次ブラシローラ２１は、中間転写ベルト５Ａが紙と接触した際に付着する紙粉やタルクを除去する機能を有している。
【００５３】
以上のような構成を備えたクリーニング装置においては、残トナーを静電的に吸引して回収する静電クリーニングが実行される。以下、静電クリーニングについて図４，図５を用いて説明する。
［静電クリーニング］
図４において、転写バイアスを用いた転写工程では、例えば負の極性を持つ現像後のトナーに生の転写バイアス電圧を印加することで本来ならば全てのトナーが記録紙などの記録媒体もしくは中間転写ベルトなどに転写されることになる。  
しかし、転写バイアスが印加される箇所では、狭いギャップ間での電界形成であることが原因となって、剥離放電が生じ、転写後の残トナー（図４中、符号Ｑ０で示す）には、正負両方の極性が混在している。
【００５４】
そこで、極性制御部材２３を用いて両極性が混在しているトナー（図４中の符号Ｑ０はトナーの電荷量を示す）を正または負のいずれかの極性に揃えてトナーの極性を均す。
【００５５】
次いで、２次ブラシローラ２５において像担持体の一つとして例に挙げる中間転写ベルト５Ａに付着している静電力よりも大きい静電力を２次ブラシローラ２５に付与することでブラシ側に残トナー（図４中の符号Ｑ１はトナーの電荷量を示す）を転移させる。この工程が図４に示されている一次クリーニングである。
【００５６】
２次ブラシローラ２５に付着してに付着している残トナー（図４中の符号Ｑ２はトナーの電荷量を示す）は、トナー回収ローラ２４に印加されているバイアス設定によってトナー回収ローラ２４に静電的に転移する。この工程が図４に示されている二次クリーニングである。
【００５７】
トナー回収ローラ２４に転移した残トナー（図４中の符号Ｑ３はトナーの電荷量を示す）は、回収ブレード２６によって掻き取られることになる。この工程が図４に示されている三次クリーニングである。
【００５８】
以上のような各クリーニング工程で残トナーが転移するために設定される電位差は、図５に示すトナー移動モデル図に示すとおりである。つまり、中間転写ベルト５Ａなどの像担持体上での表面電位をＶ０ｐ、２次ブラシローラ２５での表面電位をＶｂ、トナー回収ローラ２６での表面電位をＶｒとした場合、それぞれのクリーニング工程に位置する部材間の電位差（Ｖｂ−Ｖ０ｐ）、（Ｖｒ−Ｖｂ）と残トナーの電荷量Ｑ０，Ｑ１およびＱ２の積により静電力が規定され、この静電力の不等関係により残トナーの転移が生じて三次クリーニングに至る。
【００５９】
次に本実施形態で対象とする像担持体およびクリーニング装置にもチリあれる各部材の構成について説明する。なお、ここで挙げる像担持体は、図３に示したクリーニング装置２０が用いられる中間転写ベルト５Ａを対象として説明する。
［中間転写ベルト５Ａ］
中間転写ベルト５Ａは、ポリイミド、ポリカーボネート、ポリエステル、ポリプロピレンなど合成樹脂又は各種のゴムにカーボンブラックなどの導電材を適当量含有させたものが用いられ、その体積抵抗率は１０Ｅ４〜１０Ｅ９Ω・ｃｍに設定されている。
【００６０】
ここで弾性を有する中間転写ベルト５Ａとしては、導電性弾性層の主基材として、シリコーンゴム、ＮＢＲ、ＣＲ、ＥＰＤＭ、ウレタンゴムなどが用いられ、導電性保護層の材料は、摩擦係数の低減、電気特性の環境に対する安定性、表面粗さ低減による残留トナークリーニング性能の向上といった目的を達成できるものであれば、特に限定されないが、ポリテトラフルオロエチレン（ＰＴＦＥ）、テトラフルオロエチレンとパーフルオロアルキルビニルエーテルの共重合体（ＰＦＡ）、ＰＶＤＦなどのフッ素樹脂系ポリマーをアルコール可溶性ナイロン系、シリコン系、シランカプラー、ウレタン樹脂系のエマルジョンや有機溶媒に溶解・分散した塗料を使用することができる。
【００６１】
これら保護層は、上記の塗料をデイップコート、スプレーコート、静電塗装、ロールコートなどにより設けることができる。更に、保護層に表面処理または研磨を施すことにより離型性、導電性、耐磨耗性、表面クリーニング性などを改善することができる。
【００６２】
次に本実施形態における特徴部について説明する。  
本実施形態の特徴は、極性揃えに用いる極性ブレードの構成として、導電性ブレードと導電性ブラシとを一体構造に構成したことにある。
【００６３】
この構成とする理由は次の通りである。  
像担持体としての感光体ドラム１および中間転写ベルト５Ａのクリーニング装置６および２０に入力されるトナーの電荷分布は図６のようになっている。
【００６４】
すなわち。両者のクリーニング装置へは剥離放電等で極性反転し正負両極性が混在する分布となっている。  
この分布状態であると次のブラシローラ２５（図４参照）は、正極性電圧が印加されている為、負極性を有するトナーだけがクリーニングされる。  
そこで、極性を一律に負極性にする為に極性ブレード２３（図４参照）を通過させる。ブレード通過のモデルを図７に示す。
【００６５】
図７において、転写残トナーは極性ブレード２３で一部が堰き止められたトナー群３１となって像担持体から除去される。ここで図中の丸印中「＋」で示すトナーは、正極性であることを示し、丸印中「−」で示すトナーは負極性であることを示す。
【００６６】
しかし，トナーは小粒径である為、ブレードの下面部を通過するトナー群３２が生じてすり抜けて行く。極性ブレード２３には負電圧が印加されている為、ブレードと接触したトナーは本来なら負電荷が注入され１００％負電荷のトナーとなるのであるが、実際には図８に示すよう極性ブレード２３をすり抜けたトナーの２〜２５％は未だ正極性のままである。
【００６７】
これはブレードの端部と像担持体間で放電が生じている為である。そこで、図９に示すように極性制御性を向上させる為にブレードの後段にブラシ３３を設けた。
【００６８】
これによって図１０に示すようにブラシ通過トナー群３４（図９参照）の極性はほぼ１００％負極性となる。
【００６９】
ここで、極性制御ブレードブラシを図１１に示す。ブラシ３３はブレード２３の表面に直接植毛されている。植毛方法は静電的に導電性接着剤を介して導電糸をブレード上に植毛する方法を用いることや、あるいはパイルの基布に植毛したものを貼り付けても容易に製作できる。導電糸の繊維材質はナイロン、ポリエステル、アクリル、ビニロン及びＰＥＴがある。導電糸は一般的にはカーボンを導電剤として糸の中に分散させたり、カーボンと一緒に紡糸して製作する。このときの形態を図１２に示す。
【００７０】
これらはカーボン形状によって導電抵抗が異なってくる。ここで重要なのは導電剤が糸の外側に露出してトナーと接触することが重要となる。よって、導電サイトが大きいＢのような形状が理想である。ブラシが植毛されるブレードの機能はトナーへの電荷注入機能と余剰トナーのふるい落としである。
【００７１】
ここで像担持体の表面を傷つけないで全面に接触するための材質はポリウレタン、シリコン、フッ素ゴムなど弾性体が好適である。耐久性をもち、環境変動にも耐えられるブレードの要求物性は、硬度ＨＳ（ＪＩＳＡ）６５〜８０度、２３℃反発弾性係数１５〜６０％、ヤング率５０〜２００ｋｇ／ｃｍ2、１００％モジュラス６０〜２００ｋｇｆ／ｃｍ2の範囲が好適である。
【００７２】
電荷注入特性としては放電しないで注入効率を上げるために、体積抵抗率１０Ｅ３〜１０Ｅ８Ωｃｍのものを用いることが好ましく、導電物質とカーボン、イオン、または両者のハイブリット型で所望の抵抗領域が得られる。ここでブレードへの印加電圧は−５００〜−１２００Ｖが好適である。低すぎると注入効率が悪く、高すぎると像担持体の表面電位も過剰に負極性となってトナーと像担持体との付着力が強くなる等の不具合が生じる。
【００７３】
次にブラシローラの構成について説明する。  
［ブラシローラ２５］
ブラシローラ２５のブラシはアクリル、ＰＥＴ、ポリエステルなどに導電材を混入させた導電性ブラシであることが必須である。この時の導電材の構造はブラシ表面に単に分散させたものでなく、内部に挿入して表面に露出されない芯鞘構造で無ければならない。もし，表面に導電材が露出していると、トナーに電荷を注入してブラシ表面の電位Ｖｂが維持できなくなる。ブラシ抵抗は１０Ｅ４〜１０Ｅ９Ωが好適で、抵抗が小さいとトナーに電荷を注入し易く、又，抵抗が大きいと電界強度が小さくなって高電圧を印加しないとトナーを吸引する為の電界が確保出来なくなる。又，トナーとの接触確率を上げるために植毛密度も重要な因子で７万本／ｉｎ２以上で好ましくは１０万本／ｉｎ２以上必要である。
接触確率を上げるためには、像担持体に対してカウンター方向回転で、線速比は０．７以上にすることで好ましい接触状態となる。他の重要な因子としてはブラシの倒れがある。一般にブラシは直毛といわれているが、直毛状態であるとブラシの導電材が露出している先端部とトナーが接触しやすい状態にある。そのため、ブラシの倒れは斜毛やブラッシング処理をすることで、像担持体の回転によってブラシが食い込まない方向に倒して、直接トナーと導電材が接触しない構造にすることが望ましい。
【００７４】
次に回収ローラ２４の構成について説明する。  
［回収ローラ２４］
回収ローラ２４は、ブラシローラ２５に接触してトナーを回収するために用いられる部材であり、設置目的は以下の通りである。  
トナーの移動によってブラシ２５や回収ローラ２４の表面電位は単に各ローラの軸に電圧印加しただけでは低下する。  
電位が低下するとトナーを移動させるだけの電位ポテンシャルが確保できない為、トナーはブラシへ蓄積されロール化する。それを防ぐ為にブラシローラ表面にブラシ軸電圧よりポテンシャルで２００〜５００Ｖ大きな電圧を印加しなくてはならない。  
同様に回収ローラ表面にも回収ローラ軸電圧より４００〜８００Ｖ高い電圧を印加しなくてはならない。よって、回収ローラのダメージとして、回収ブレード２６による摺擦劣化と表面に印加される電圧によって生じる放電劣化の両者が加わる。よって，これらの外部ダメージで回収ローラ表面は荒れてくる。  
粗面になるとブレードと像担持体間の摩擦係数が小さくなり、摩擦力も同様に小さくなることで、トナーはブレード下面に潜り込み擦りぬけて行く。図４に示す回収ローラ２４で回収ブレード２６をすり抜けたトナーＱ３’はブラシに再付着してトナーＱ２’となって、ブラシから像担持体表面に逆付着したトナーＱ１’となって後の工程に影響を及ぼす。  よって、回収ローラに要求される特性は、電荷が逃げづらい絶縁性の部材であり、表面粗さが良好であること、更に放電や、摺擦に対して傷がつかないことが必須である。
【００７５】
回収ローラ２４は、金属材料を芯金として、樹脂材にインサートして一体成型された絶縁性ローラが用いられている。このローラの構成としては、ＰＥＴ、ＰＶＤＦ、ＰＦＡ、共重合ナイロンをチューブ状にして芯金に被せても容易に絶縁性の回収ローラとすることも可能である。
【００７６】
他の工法としては芯金としてアルミニウムを用いてアルマイト処理、フッ素樹脂硬質アルマイト処理をしても絶縁性の金属表面が得られる。金属材料表面にセラミックなどの無機材、ＰＴＦＥ，ポリイミド、ポリカなどの有機材をコートしても容易に絶縁性の回収ローラ材が得られる。
【００７７】
回収ローラ２４の表層部での厚さは、１ｍｍ以下が好ましく、望ましくは０．５ｍｍ以下に設定されている。これにより、表層厚さが厚い場合、環境変動の際に芯金との膨張係数の差や、吸湿による径変化によって、絶縁層にクラックや境界剥離が生じるのを防止するようになっている。
［回収ブレード２６］
トナー回収ローラ２４に対するトナー除去のためのフリッカーとしての機能と、トナー回収ローラ２４での表面電位の低下を補うための電荷注入機能とを持ち合わせた部材である。
【００７８】
この設置理由は次の通りである。  
回収ローラへの表面印加電圧によって回収ローラ表面電位の変化を図１３に示す。ブラシローラに７００Ｖ、回収ローラに１０００Ｖ印加し、ブレードへの印加電圧を１０００、１５００、２０００Ｖと変えた時、回収ローラ表面及びブラシ表面電位の時間変化を示す。これから印加電圧が低いと時間と共に回収ローラ表面電位はブラシ表面電位に近づいてくる。この状態となると、ブラシローラと回収ローラ間に電位差がないため、トナーはブラシから回収ローラへ移動しなくなる。両者の機能を満足する為に、ブレードはポリウレタン、シリコン、ニトリルゴムなどのエラストマー材であって回収ローラとの密着性が確保される必要がある。且つ回収ローラへの電荷付与を確実にする為にブレード自身の体積抵抗は少なくとも１０Ｅ１２Ωｃｍ以下であることが必要である。導電性を得るためにエラストマー材にカーボン、金属フィラー、イオン導電性剤などを添加することで導電性は得られる。
【００７９】
以上のような構成からなる本実施形態についての実施例を以下に説明する。  
（実施例１）
以下、極性揃えに用いる極性ブレードの構成として、導電性ブレードと導電性ブラシとを一体構造にした構成での極性制御率について説明する。  
図３のクリーニングユニットに設置されている極性ブレード２３を図１１に示す極性制御ブラシを設置した時のトナー極性制御率を測定する。測定はＥ−Ｓｐａｒｔアナライザを用いて行い、測定結果は図６〜８に示すようにトナーが単位個数中に存在する電荷量と個数の関係が算出される。
【００８０】
図６は極性ブレードへ入力前（転写残）トナーでＡ，Ｃは極性が正極性である個数を示し、Ｂ，Ｄは負極性である個数を示す。これより極性制御部材の制御率は（（Ｄ−Ｂ）／Ａ）×１００％として算出する。実験は図１１に示す極性制御ブレードブラシの植毛密度を変化させ、ブラシのない状態、ブラシ植毛密度（５０，０００、７５、０００、１００，０００本／ｉｎｃｈ２）を変化させた時、前述の制御率を測定した。このとき、極性制御ブレードブラシへの電圧は−１２００Ｖ。ブレードは厚さ２．４ｍｍ、自由長７ｍｍ、体積抵抗率１０Ｅ６Ω・ｃｍである。ブラシはＰＥＴ複合糸、太さ３Ｄ、繊維長さ１ｍｍ、体制抵抗率１０Ｅ７Ω・ｃｍのフィラメントを使用した。植毛方法は静電植毛で行なった。
【００８１】
図６に示すように極性制御ブレードブラシへ入力するトナーの負極性の割合は４８％である。それを前述の条件で実験を行なった結果、図１４に示す結果が得られた。これからブラシ３３の有無による制御率の効果がわかる。又、ブラシ密度を上げることで制御率も上がることが分かる。
（実施例２）
本実施形態で実行するクリーニングモードについて説明する。  
極性クリーニングブラシ１１のブラシ部３３を通過するトナーは負極性に極性変換されるばかりでなく、一部は正極性の状態で付着される場合があるため、時間と共にトナーはブラシ表面に付着堆積する。そのため、ブラシ表面のトナーをクリーニングさせるモードを設けてブラシ表面をリフレッシュする必要がある。図１５に像担持体の駆動に伴う、極性ブレード、ブラシ及びクリーニングブラシ２５、回収ローラ２４、回収ブレード２６のクリーニングモードにおけるタイミングチャートを示す。像担持体１は、（１）で駆動開始する。そのとき極性ブレード、ブラシに負電圧が印加され，他のパーツには正極性の電圧が印加される。具体的には極性ブレード、ブラシは−１２００Ｖ、クリーニングブラシ４００Ｖ、回収ローラ８００Ｖ、回収ブレード１２００Ｖ印加される。電圧は（２）のところまで印加され、この期間、像担持体の残留トナーをクリーニングしている。（２）から（３）の時間は像担持体だけを駆動して、他の部品への電圧印加はｏｆｆとする。この時間はゼロでも構わないが前作業の安定を図る為、電圧ｏｆｆ状態があるとシステムの安定化が図れる。
次に（３）から（４）の期間で極性ブレード、ブラシは正極性の電圧が印加される。これによってブラシ上に付着している正極性トナーは斥力によってブラシ表面から像担持体上に吐き出される。正極性トナーは負極性が印加されたクリーニングブラシ２５に接触して静電力で付着する。更に電位差の有る回収ローラ２４に送られ回収ブレード２６で機械的にかきとられる。このときの電圧は極性ブレード、ブラシは８００Ｖ、クリーニングブラシ−４００Ｖ、回収ローラ−８００Ｖ、回収ブレード−１２００Ｖを印加する。この極性ブラシのクリーニングモードは像担持体のクリーニングジョブの後に設けたが、機械本体の電源ＯＮ時に（３）から（４）の極性ブラシクリーニングモードを行なっても良い。
【図面の簡単な説明】
【００８２】
【図１】本発明によるクリーニング装置を備えた画像形成装置の構成を説明するための模式図である。
【図２】図１に示した画像形成装置における像担持体としての感光体を対象としたクリーニング装置の要部構成を説明するための模式図である。
【図３】図１に示した画像形成装置における像担持体としての中間転写体を対象としたクリーニング装置の要部構成を説明するための模式図である。
【図４】静電クリーニングの原理を説明するための模式図である。
【図５】残トナーの転移に要すバイアス電圧の印加状況を説明するための線図である。
【図６】本発明によるクリーニング装置の要部構成による極性制御率の測定結果を示す線図である。
【図７】極性ブレードに対するトナーの通過に関するモデル図である。
【図８】図７に示したトナーの通過においてすり抜けたトナーの帯電状態を示す線図である。
【図９】本発明によるクリーニング装置の要部構成におけるトナーの通過に関する図７相当のモデル図である。
【図１０】図９に示したトナーの通過においてすり抜けたトナーの帯電状態を示す線図である。
【図１１】本発明によるクリーニング装置の要部構成として用いられるブレードブラシの構成を示す模式図である。
【図１２】図１１に示したブラシに用いられる導電糸の構成を示す図である。
【図１３】ブラシ先端に対する印加電圧を順次変更した場合のブラシ先端と回収ローラとの間での表面電位の時間的変化を説明するための線図である。
【図１４】ブラシの有無および密度に対する極性制御率を実験した結果を示すグラフ図である。
【図１５】本発明によるクリーニング装置でのクリーニングモードを説明するためのタイミングチャートである。
【符号の説明】
【００８３】
１  像担持体の一つである感光体ドラム
２  帯電装置
４  現像装置
５  転写装置
５Ａ  像担持体の他の一つである中間転写ベルト
２０  クリーニング装置
２１  １次ブラシローラ
２３  極性制御部材として用いられる極性ブレード
２４  トナー回収ローラ
２５  ２次ブラシローラ
２６  回収ブレード
１００〜１０４  バイアス電圧印加用電源
【図１】
2010066508.tif 000003
【図２】
2010066508.tif 000004
【図３】
2010066508.tif 000005
【図４】
2010066508.tif 000006
【図５】
2010066508.tif 000007
【図６】
2010066508.tif 000008
【図７】
2010066508.tif 000009
【図８】
2010066508.tif 000010
【図９】
2010066508.tif 000011
【図１０】
2010066508.tif 000012
【図１１】
2010066508.tif 000013
【図１２】
2010066508.tif 000014
【図１３】
2010066508.tif 000015
【図１４】
2010066508.tif 000016
【図１５】
2010066508.tif 000017